(57)【要約】【課題】搬送時の揺れや振動等によって衝撃が加わってもレンズを傷つけないように保持する。【解決手段】容器２は、凹陥部１１と、支持部１２と、８つの保持部２２とを備える。凹陥部１１は、レンズの径よりも小さい径の開口を有しており、この凹陥部１１の周縁には、レンズの周縁部を支持する支持部１２が設けられている。保持部２２は、支持部１２に連続して凹陥部１１とは反対側に突出すると共に、レンズの外周面に加圧接触する。【選択図】図２
2011116415.tif 000002
【特許請求の範囲】
【請求項１】
レンズの径よりも小さい径の開口を有する凹陥部と、
前記凹陥部の周縁に設けられ、前記レンズの周縁部を支持する支持部と、
前記支持部に連続して前記凹陥部とは反対側に突出すると共に、前記レンズの外周面に加圧接触する少なくとも３つの保持部と、
を備える容器。
【請求項２】
前記保持部は、前記支持部に連続して形成されると共に前記レンズの外周面に対向する側壁の一部である請求項１に記載の容器。
【請求項３】
前記側壁は、前記レンズの外周面と間に、前記レンズを把持するための間隙を形成する把持用凹部を有する請求項２に記載の容器。
【請求項４】
前記凹陥部は、開口に向かうにつれて径が連続的に大きくなるテーパー状に形成されており、前記レンズの凸面が配置される請求項１〜３のいずれかに記載の容器。
【請求項５】
レンズを挿脱するための開口部を有する容器と、
前記容器の開口部を塞ぐ蓋体と、を備え、
前記容器は、
前記レンズの径よりも小さい径の開口を有する凹陥部と、
前記凹陥部の周縁に設けられ、前記レンズの周縁部を支持する支持部と、
前記支持部に連続して前記凹陥部とは反対側に突出すると共に、前記レンズの外周面に加圧接触する少なくとも３つの保持部と、
前記保持部の先端に形成されているフランジと、を有し、
前記蓋体は、前記フランジに係合する係止爪を有する包装体。
【請求項６】
前記容器の前記保持部は、可撓性を有する部材から形成され、
前記蓋体は、前記フランジの端部に当接して前記保持部が外側に撓み変形することを規制する又は前記保持部を内側に撓み変形させる請求項５に記載の包装体。
【請求項７】
レンズを挿脱するための開口部を有する容器と、
前記容器の開口部を塞ぐ蓋体と、
前記容器に収容された前記レンズと、を備え、
前記容器は、
前記レンズの径よりも小さい径の開口を有する凹陥部と、
前記凹陥部の周縁に設けられ、前記レンズの周縁部を支持する支持部と、
前記支持部に連続して前記凹陥部とは反対側に突出すると共に、前記レンズの外周面に加圧接触する少なくとも３つの保持部と、
を有するレンズ包装品。
【発明の詳細な説明】
【技術分野】
【０００１】
本発明は、レンズを収容する容器、包装体及びレンズを収容したレンズ包装品に関する。
【背景技術】
【０００２】
一般的に用いられる光学レンズとしては、例えば、ガラスレンズやプラスチックレンズなどがある。これらのレンズは、汚れの付着や傷がつくことを防ぐために包装された状態で保管或いは搬送される。
【０００３】
プラスチックレンズは、ガラスレンズに比べて軽量であり、割れ難いなどの利点がある。そのため、プラスチックレンズは、眼鏡用レンズを始めとして種々のレンズに用いられているが、傷がつきやすいという短所がある。したがって、プラスチックレンズの搬送には、揺れや振動によって生じる衝撃からプラスチックレンズを保護する包装材が必須となる。
【０００４】
プラスチックレンズを包装する技術としては、例えば、特許文献１に記載されているようなものがある。特許文献１には、包装されたプラスチックレンズが記載されている。この特許文献１に記載されたプラスチックレンズは、表が透明部材で、裏が帯電防止した部材からなる包装袋に、レンズの凸面が前記帯電防止した部材に接するように入れられている。
【先行技術文献】
【特許文献】
【０００５】
【特許文献１】特開平６−１５６５５９号公報
【発明の概要】
【発明が解決しようとする課題】
【０００６】
しかしながら、特許文献１に記載された包装袋では、搬送時の揺れや振動によって加わる衝撃でプラスチックレンズに傷がついてしまう可能性があった。例えば、一方の面に光学面が形成されており、他方の面には光学面が形成されていないセミフィニッシュレンズは、未加工面を切削研磨加工するために余剰分が確保され、重くて厚い形状になる。そのため、セミフィニッシュレンズは、搬送時の揺れや振動等によって加わる衝撃が大きくなりやすく、袋状の包装体に収容しても損傷を防ぐことが難しい。
【０００７】
また、セミフィニッシュレンズは、未加工面に汚れが付着しても、その汚れが未加工面を切削研磨加工するときに除去される。したがって、セミフィニッシュレンズを保管或いは搬送する場合の包装材は、少なくとも加工済みの光学面を覆うものであればよい。つまり、レンズの種類によっては、包装材がレンズ全体を覆うものでなくてもよい。
【０００８】
本発明は、このような状況に鑑みてなされたものであり、搬送時の揺れや振動等によって衝撃が加わってもレンズを傷つけないように保持することを目的とする。
【課題を解決するための手段】
【０００９】
上記の課題を解決し、本発明の目的を達成するため、本発明の容器は、凹陥部と、支持部と、少なくとも３つの保持部とを備える。凹陥部は、レンズの径よりも小さい径の開口を有しており、この凹陥部の周縁には、レンズの周縁部を支持する支持部が設けられている。保持部は、支持部に連続して凹陥部とは反対側に突出すると共に、レンズの外周面に加圧接触する。
【００１０】
本発明の包装体は、レンズを挿脱するための開口部を有する容器と、容器の開口部を塞ぐ蓋体を備えている。そして、容器は、凹陥部と、支持部と、少なくとも３つの保持部とを有する。凹陥部は、レンズの径よりも小さい径の開口を有しており、この凹陥部の周縁には、レンズの周縁部を支持する支持部が設けられている。保持部は、支持部に連続して凹陥部とは反対側に突出すると共に、レンズの外周面に加圧接触する。
【００１１】
また、本発明のレンズ包装品は、レンズを挿脱するための開口部を有する容器と、容器の開口部を塞ぐ蓋体と、容器に収容されたレンズとを備えている。そして、容器は、凹陥部と、支持部と、少なくとも３つの保持部とを有する。凹陥部は、レンズの径よりも小さい径の開口を有しており、この凹陥部の周縁には、レンズの周縁部を支持する支持部が設けられている。保持部は、支持部に連続して凹陥部とは反対側に突出すると共に、レンズの外周面に加圧接触する。
【００１２】
本発明では、容器の支持部によってレンズの周縁部を支持すると共に、少なくとも３つの保持部によってレンズの外周面を加圧する。これにより、搬送時の揺れや振動等によって容器に衝撃が加えられても、容器内でレンズが移動することはなく、レンズを安定して保持することができる。また、レンズの一方の面が凹陥部の内部空間に配置されるため、容器がレンズの一方の面に接触しないようにすることができる。その結果、搬送時の揺れや振動等による衝撃が容器を介してレンズの一方の面に伝わることはなく、レンズの一方の面を傷つけないようにすることができる。
【００１３】
例えば、収容するレンズがセミフィニッシュレンズである場合は、加工済みの光学面を凹陥部の空間に配置させる。これにより、加工済みの光学面は、内部空間を介して凹陥部に覆われる。その結果、加工済みの光学面を容器で傷つけることはなく、しかも、加工済みの光学面にゴミや汚れが付着することを防止できる。
【発明の効果】
【００１４】
本発明によれば、搬送時の揺れや振動等によって衝撃が加わってもレンズに傷がつかないように保持することができる。
【図面の簡単な説明】
【００１５】
【図１】本発明の包装体の一実施形態を示す斜視図である。
【図２】本発明の包装体の一実施形態に係る容器の斜視図である。
【図３】本発明の包装体の一実施形態に係る容器の平面図である。
【図４】図４（ａ）は図３のＡ−Ａ線に沿う断面図、図４（ｂ）は図３のＢ−Ｂ線に沿う断面図、図４（ｃ）は図３のＣ−Ｃ線に沿う断面図である。
【図５】本発明の包装体の一実施形態に係る蓋体の内側を上方に向けた状態の斜視図である。
【図６】本発明の包装体の一実施形態に係る蓋体の底面図である。
【図７】本発明のレンズ包装品の断面図である。
【発明を実施するための形態】
【００１６】
以下、本発明の容器、包装体及びレンズ包装品を実施するための形態について、図１〜図７を参照して説明する。各図において共通の部材には、同一の符号を付している。
【００１７】
＜包装体の構成＞
まず、本発明の包装体の一実施形態の構成について、図１を参照して説明する。
図１は、包装体の一実施形態を示す斜視図である。
【００１８】
包装体１は、レンズを挿脱するための開口部１９（図２参照）を有する容器２と、この容器２の開口部１９を塞ぐ蓋体３を備えている。また、レンズ包装品５（図７参照）は、包装体１と、この包装体１に包装されたレンズ４から構成される。
【００１９】
容器２には、レンズ４が収容される。蓋体３は、容器２に嵌合される。これら容器２及び蓋体３は、例えば、ポリスチレン（ＰＳ）やポリプロピレン（ＰＰ）などのプラスチック材料をプレス成形することにより可撓性を有するように形成されている。なお、本発明に係る容器及び蓋体は、プラスチック材料から形成されることに限定されるものではなく、例えば、ゴム材料から形成してもよい。
【００２０】
［容器］
次に、容器２について図２〜図４を参照して説明する。
図２は、容器２の斜視図である。図３は、容器２の平面図である。図４（ａ）は図３のＡ−Ａ線に沿う断面図、図４（ｂ）は図３のＢ−Ｂ線に沿う断面図、図４（ｃ）は図３のＣ−Ｃ線に沿う断面図である。
【００２１】
まず、容器２に収容されるレンズ４について説明する。
図４に示すように、容器２に収容されるレンズ４は、セミフィニッシュレンズであり、加工済みの光学面である凸面４ａと、未加工面である凹面４ｂと、外形を形成する外周面４ｃを有している。
【００２２】
図２に示すように、容器２は、有底の容器であり、包装体１の底面を形成する凹陥部１１と、凹陥部の周縁に設けられた支持部１２と、この支持部１２に連続して形成された側壁１３を備えている。
【００２３】
凹陥部１１は、円形の底面板１５と、この底面板１５に連続して上方に立ち上がる側面板１６からなっている。側面板１６は、開口に向かうにつれて径が連続的に大きくなるテーパー状に形成されている（図４参照）。これにより、凹陥部１１は、円錐台形状の空間部１７を形成している。また、側面板１６の周縁の径は、レンズ４の径よりも小さく設定されている。つまり、空間部１７における開口の径は、レンズの径よりも小さい。したがって、凹陥部１１内（空間部１７）には、レンズ４の外周面４ｃが挿入されないようになっている。
【００２４】
支持部１２は、側面板１６の周縁から半径方向の外側に突出しており、周方向に連続するリング状に形成されている。この支持部１２は、レンズ４における凸面４ａの周縁部を支持する。そのため、支持部１２の外径は、レンズ４の径と同等又はそれよりも大きくなっている。
【００２５】
支持部１２に支持されたレンズ４の凸面４ａは、凹陥部１１に配置される。つまり、レンズ４の凸面４ａは、空間部１７を介して凹陥部１１に覆われる。そのため、搬送時の揺れや振動等による衝撃が凹陥部１１を介してレンズ４の凸面４ａに伝わることはなく、凸面４ａを傷つけないようにすることができる。また、レンズ４の凸面４ａにゴミや汚れが付着することを防止できる。
【００２６】
側壁１３は、支持部１２の周縁から上方に向かって突出しており、略四角形の筒状に形成されている。この側壁１３は、容器２の開口部１９を形成すると共に、この開口部１９から挿入されて支持部１２に支持されたレンズ４の外周面４ｃに対向する。本実施の形態では、側壁１３の軸方向の長さがレンズ４の外周面４ｃの高さ（厚み方向の長さ）と同等又はそれよりも長くなっており、側壁１３がレンズ４の外周面４ｃを覆っている（図４（ａ）参照）。
【００２７】
図２及び図３に示すように、側壁１３は、レンズ４を把持する手指などが挿入される４つの把持用凹部２１と、レンズ４の外周面４ｃに加圧接触する８つの保持部２２と、先端に設けられたフランジ２３を有している。
【００２８】
４つの把持用凹部２１は、側壁１３の周方向に等間隔をあけて設けられている。これら把持用凹部２１は、支持部１２の半径方向の外側に凸となる円弧状に形成されており、レンズ４の外周面４ｃとの間に、レンズ４を把持するための間隙を生じさせている（図４（ｂ）参照）。また、４つの把持用凹部２１は、それぞれ側壁１３の角部を形成している。つまり、側壁１３は、４つの把持用凹部２１を設けることにより略四角形の筒状に形成されている。
【００２９】
８つの保持部２２は、支持部１２の周方向に隣り合う２つの把持用凹部２１間に２つずつ設けられている。そして、２つの把持用凹部２１間に配置される２つの保持部２２は、支持部１２の周方向に適当な間隔をあけて配置されている。保持部２２は、支持部１２の半径方向の内側に突出する円弧状の凸部として形成されている。
【００３０】
側壁１３は、保持部２２の基部を支点に撓み変形可能に構成されており、各保持部２２がレンズ４の外周面４ｃに加圧接触する（図４（ｃ）参照）。つまり、側壁１３は、レンズ４の外周面４ｃによって外側に押し広げられように撓み変形する。これにより、レンズ４は、８つの保持部２２に挟持され、容器２に安定して保持される。
【００３１】
フランジ２３は、側壁１３の先端から水平方向に突出しており、略四角形の枠状に形成されている。このフランジ２３の上面２３ａは、蓋体３の後述する段部３５，３６に当接し、下面２３ｂが蓋体３の後述する係止爪３７Ａ，３７Ｂに係合される。
【００３２】
本実施の形態では、凹陥部１１が円錐台形状の空間部１７を形成するようにしたが、本発明に係る凹陥部としては、レンズ４の凸面４ａが配置可能な略半球形状、円柱状又は直方体状の空間部を形成するものであってもよい。また、本発明に係る凹陥部としては、レンズ４の凸面４ａが配置可能な空間部を形成するものであればよく、例えば、中空ではない直方体状の部材に凹部を設けて形成してもよい。
【００３３】
また、本実施の形態では、４つの把持用凹部２１を設ける構成としたが、本発明に係る把持用凹部としては、少なくとも２つ設ければよい。なお、把持用凹部を２つ設ける場合は、それら２つの把持用凹部を支持部１２の径方向に対向させて配置することが好ましい。
【００３４】
また、本実施の形態では、８つの保持部２２を設ける構成としたが、本発明に係る保持部としては、少なくとも３つ設ければよい。なお、保持部を３つ設ける場合は、支持部１２の周方向に等間隔をあけて配置するとよい。これにより、３つの保持部でレンズ４を安定して保持することができる。
【００３５】
また、本実施の形態では、保持部２２を支持部１２の半径方向の内側に突出する凸部として形成したが、本発明に係る保持部としては、例えば、側壁１３にゴム材料を貼り付けて形成することもできる。
【００３６】
また、本実施の形態では、容器２が略四角形の筒状に形成された側壁１３を備える構成としたが、本発明に係る容器としては、少なくとも保持部を備えていればよい。つまり、本発明に係る容器としては、支持部１２の周方向に適当な間隔をあけて保持部を突出させる構成にすることもできる。
【００３７】
また、本実施の形態では、フランジ２３を略四角形の枠状に形成したが、本発明に係るフランジとしては、側壁１３の先端に断続的に設けるようにしてもよい。例えば、保持部２２に対応する先端にのみフランジを設けるようにしてもよい。また、本発明に係る支持部においても、周方向に連続するリング状に限定されるものではなく、周方向に断続的に設けることもできる。
【００３８】
［蓋体］
次に、蓋体３について図１、図５及び図６を参照して説明する。
図５は、蓋体３の内側を上方に向けた状態の斜視図である。図６は、蓋体３の底面図である。
【００３９】
蓋体３は、有底の四角形の筒状に形成されており、包装体１の上面を形成する上面板３１と、の上面板３１の周縁に連続して略垂直に突出する４つの側面板３２Ａ〜３２Ｄを備えている。
【００４０】
上面板３１には、補強用の膨出部３１ａ，３１ｂが設けられている。これら膨出部３１ａ，３１は、それぞれ上面板３１の外面側が膨らむように突出しており、上面板３１の中央を中心とする円形のリング状に形成されている。膨出部３１ａは、膨出部３１ｂよりも大きい径に設定されている。これら膨出部３１ａ，３１ｂを設けることにより、上面板３１の変形や破損を防止することができる。なお、本発明に係る膨出部の形状としては、リング状に限定されるものではなく、突条や渦状など適宜変更することができる。
【００４１】
また、膨出部３１ａ，３１ｂは、複数の包装体１（図１参照）或いは複数のレンズ包装品５（図７参照）を重ねる場合の位置決め及びずれ防止を行う係合部にすることもできる。膨出部３１ａ，３１ｂを係合部にするには、例えば、膨出部３１ａの内径を容器２の底面板１５（図２参照）の外径と略同じ大きさにする。また、底面板１５の外面に膨出部３１ｂの外径と略同じ大きさの円形の凹部を形成する。これにより、複数の包装体１（レンズ包装品５）を重ねる場合に、上方の包装体１における底面板１５が、下方の包装体１における上面板３１の膨出部３１ａ，３１ｂに係合し、位置決め及びずれ防止を行うことができる。
【００４２】
側面板３２Ａ〜３２Ｄの先端には、水平方向に突出する蓋側フランジ３４が設けられている。また、側面板３２Ａ〜３２Ｃの内面には、第１の段部３５と、複数の係止爪３７Ａが設けられており、側面板３２Ｄの内面には、第２の段部３６と、２つの係止爪３７Ｂが設けられている。
【００４３】
第１の段部３５は、側面板３２Ａ〜３２Ｃの高さ方向の中間部から上面板３１までが内側に突出するように形成されている。この第１の段部３５は、上面板３１の３辺に沿って側面板３２Ａの端部から側面板３２Ｃの端部まで連続しており、上方から見た形状がコ字状になっている。この第１の段部３５を設けることにより、側面板３２Ａ〜３２Ｃの強度を高めることができ、側方から押圧されても側面板３２Ａ〜３２Ｃが撓み変形することを防止或いは抑制することができる。
【００４４】
第２の段部３６は、第１の段部３５と同様に、側面板３２Ｄの高さ方向の中間部から上面板３１までが内側に突出するように形成されている。この第２の段部３６は、側面板３２Ｄの中央部に所定の長さで設けられている。そのため、側面板３２Ｄは、側面板３２Ａ〜３２Ｃよりも強度が低く、撓みやすくなっている。
【００４５】
複数の係止爪３７Ａは、側面板３２Ａ〜３２Ｄの高さ方向で第１の段部３５に対向している。各側面板３２Ａ〜３２Ｃには、６つの係止爪３７Ａが設けられている。一方、２つの係止爪３７Ｂは、側面板３２Ａ〜３２Ｄの高さ方向で第２の段部３６に対向している。係止爪３７Ａ及び係止爪３７Ｂは、蓋体３の内側に突出する凸部として同一形状に形成されている。これら係止爪３７Ａ及び係止爪３７Ｂは、容器２のフランジ２３と係合し、蓋体３が容器２から外れる方向（上方）への移動を係止する。
【００４６】
ところで、側面板３２Ｄに設けた係止爪３７Ｂの数（２つ）は、各側面板３２Ａ〜３２Ｃに設けた係止爪３７Ａの数（６つ）よりも少なく、且つ、側面板３２Ｄが側面板３２Ａ〜３２Ｃよりも撓みやすくなっている。側面板３２Ｄに設けた２つの係止爪３７Ｂは、各側面板３２Ａ〜３２Ｃに設けた６つの係止爪３７Ａよりもフランジ２３から外れやすくなっている。したがって、側面板３２Ｄを持ち上げて撓ませることにより、蓋体３を容器２から容易に外すことができる。
【００４７】
本実施の形態では、蓋体３を有底の四角形の筒状に形成したが、本発明に係る蓋体としては、容器２の形状に応じて適宜設定することができる。また、本実施の形態では、各側面板３２Ａ〜３２Ｃに６つの係止爪３７Ａを設け、側面板３２Ｄに２つの係止爪３７Ｂを設ける構成とした。しかしながら、本発明に係る係止爪の数は、適宜設定することができるものであり、また、係止爪を少なくとも３つ以上もうければ、蓋体３が容器２から外れる方向への移動を係止することができる。
【００４８】
＜レンズ包装体の組立方法＞
次に、レンズ包装品５の組立方法について、図７を参照して説明する。
図７は、レンズ包装品５の断面図である。
【００４９】
レンズ包装品５を組み立てるには、まず、容器２にレンズ４を収容する。つまり、容器２の開口部１９からレンズ４を挿入し、凸面４ａの周縁部を支持部１２に載置する。これにより、容器２の支持部１２がレンズ４を支持すると共に、保持部２２がレンズ４の外周面４ｃに加圧接触し、レンズ４が容器２に安定して保持される（図４（ｃ）参照）。
【００５０】
このとき、レンズ４の凸面４ａと凹陥部１１との間には、空間部１７が介在されている。そのため、搬送時の揺れや振動等による衝撃が容器２に加わっても、その衝撃が凹陥部１１を介してレンズ４の凸面４ａに伝わらないようにすることができ、凸面４ａに傷がつくことを防止できる。また、凹陥部１１によってレンズ４の凸面４ａを覆うため、凸面４ａにゴミや汚れが付着することを防止できる。
【００５１】
次に、レンズ４を収容した容器２に蓋体３を嵌合させて、容器２の開口部１９（図４参照）を塞ぐ。このとき、容器２におけるフランジ２３の上面２３ａが蓋体３の第１の段部３５及び第２の段部３６に当接し、フランジ２３の下面２３ｂが蓋体３の係止爪３７Ａ，３７Ｂに係合する。これにより、蓋体３が容器２から外れる方向への移動が係止され、レンズ包装品５の組み立てが完了する。
【００５２】
レンズ包装品５の組み立てが完了した状態において、レンズ４の凹面４ｂと蓋体３との間には、間隙が生じている。これにより、搬送時の揺れや振動等による衝撃が蓋体３に加わっても、その衝撃が蓋体３からレンズ４の凹面４ｂに伝わらないようにすることができ、凹面４ｂに傷がつくことを防止できる。
【００５３】
また、蓋体３の側面板３２Ａ〜３２Ｄは、適当な間隙をあけて容器２の側壁１３を覆う。これにより、レンズ包装品５（包装体１）の側方から加わった衝撃を、側面板３２Ａ〜３２Ｄで緩衝することができ、容器２の側壁１３からレンズ４の外周面４ｃに加わる衝撃を抑制することができる。
【００５４】
また、蓋体３の側面板３２Ａ〜３２Ｄは、容器２におけるフランジ２３の端部に当接する。これにより、側面板３２Ａ〜３２Ｄは、レンズ４によって容器２の側壁１３（保持部２２）が外側に撓み変形することを規制する。その結果、側壁１３の８つの保持部２２をレンズ４の外周面４ｃに確実に加圧接触させることができる。なお、本発明に係る蓋体としては、容器２のフランジ２３内側に押圧して側壁１３（保持部２２）を撓み変形させる構成としてもよい。このようにしても、容器の保持部をレンズの外周面に確実に加圧接触させることができる。
【００５５】
レンズ包装品５における蓋体３には、収容しているレンズ４の情報を記載したラベルが貼り付けられる。これにより、レンズ包装品５を容易に管理することができる。また、包装体１は、ラベルを貼り替えることにより、繰り返し使用することができる。
【００５６】
本発明は、前述しかつ図面に示した実施の形態に限定されるものではなく、特許請求の範囲に記載した発明の要旨を逸脱しない範囲内で種々の変形実施が可能である。例えば、上述した実施の形態では、容器２に収容するレンズとして、セミフィニッシュレンズを適用した。しかしながら、本発明に係る容器に収容するレンズは、凹凸両面が加工済みの光学面であるレンズ、凹凸両面が未加工面のレンズ、両面が凸面となるレンズ及び両面が凹面となるレンズ等を適用することもできる。
【００５７】
また、本発明に係る容器に収容するレンズは、プラスチックレンズに限定されず、ガラスレンズであってもよい。
【符号の説明】
【００５８】
１…包装体、  ２…容器、  ３…蓋体、  ４…レンズ、  ４ａ…凸面、  ４ｂ…凹面、  ４ｃ…外周面、  ５…レンズ包装品、  １１…凹陥部、  １２…支持部、  １３…側壁、  １５…底面板、  １６…側面板、  １７…空間部、  １９…開口部、  ２１…把持用凹部、  ２２…保持部、  ２３…フランジ、  ３１…上面板、  ３１ａ，３１ｂ…膨出部、  ３２Ａ〜３２Ｄ…側面板、  ３４…蓋側フランジ、  ３５…第１の段部、  ３６…第２の段部、  ３７Ａ，３７Ｂ…係止爪
【図１】
2011116415.tif 000003
【図２】
2011116415.tif 000004
【図３】
2011116415.tif 000005
【図４】
2011116415.tif 000006
【図５】
2011116415.tif 000007
【図６】
2011116415.tif 000008
【図７】
2011116415.tif 000009